(57)【特許請求の範囲】
【請求項１】
弾性を有する金属板を角度が付くように折り返してなる板ばねにおいて，一方の板ばねの端部には，係止部と押圧つまみを設け，他方の板ばねの端部には，押圧つまみを囲い込むように立ち上がり，その立ち上がり部の中央部分に連なる両側面部をアール状又はテーパー状に低下するように屈曲した屈曲縁を有するばね体側壁部を設け，このばね体側壁部には，装身具の一端を連結する連結部を設けてなるばね部材と，ベース板の裏面には，上記ばね部材を差し込める中空部を有するばね収納体を設け，このばね収納体の一方の側壁をアール状又はテーパー状又は直角に低下するように屈曲し，この屈曲した側壁には，上記ばね部材の差込口を設け，この差込口には，ばね部材をばね収納体内に差し込んだ時点で，ばね部材の係止部が板ばねの弾力を受けて係合する係合部を設け，ばね収納体の他方の側壁には，上記装身具の他端を連結する連結部を設けてなる止め金具本体とからなる装身具用止め金具。
【請求項２】
請求項１記載の装身具用止め金具において，止め金具本体が，ベース板の裏面に一対のばね部材を相対するように差し込める中空部を有するばね収納体を設け，このばね収納体の両方の側壁をアール状又はテーパー状又は直角に低下するように屈曲し，この屈曲した各側壁には，一対のばね部材の差込口をそれぞれ設け，この各差込口には，各ばね部材の係止部が，各ばね部材をばね収納体内に差し込んだ時点で，板ばねの弾力を受けてそれぞれ係合する係合部を設けてなる装身具用止め金具。
【請求項３】
請求項１記載の装身具用止め金具において，ばね部材の他方の板ばねの端部のうち，ばね体側壁部を設けた面と反対側の面には，ばね部材を止め金具本体のばね収納体内に差し込んだ時点で，止め金具本体のベース板と接合して一体の装飾体を形成するベース板を設けてなる装身具用止め金具。
【発明の詳細な説明】
【０００１】
【発明の属する技術分野】
本発明は，ネックレス，ブレスレット，時計バンドなどの装身具用止め金具に関するものである。
【０００２】
【従来の技術】
従来の装身具用止め金具の代表的なものには，図１０に示すように弾性を有する金属板を角度が付くように折り返してなる板ばね１において，一方の板ばね２の端部には，係止部３，３と押圧つまみ４を設け，他方の板ばね５の端部には，装身具，例えば，ネックレス６の一端を連結する連結部７を設けてなるばね部材８と，中空部品９の一方の側壁面には，ばね部材８を差し込む差込口１０を設け，差込口１０には，ばね部材８の係止部３，３が，ばね部材８を中空部品９に差し込んだ時点で，板ばね２の弾力を受けて係合する係合部１１，１１を設け，中空部品９の他方の側壁面には，ネックレス６の他端を連結する連結部１２を設けてなる止め金具本体１３とからなるものがある。
この装身具用止め金具は，図１１図に示すようにばね部材８をその折り返し端１４から差込口１０に差し込み，次いで，中空部品９内へ差し込んでいき，その過程で板ばね２が係合部１１，１１の端部で押圧され，係止部３，３が係合部１１，１１を通過したところで，係合部１１，１１の端部による板ばね２の押圧が解除され，係止部３，３が板ばね２の弾力を受けて係合部１１，１１の内側面に係合し，ばね部材８が中空部品９から抜けないように掛け止められ，逆に，ばね部材８を止め金具本体１３から外す場合には，押圧つまみ４を指先で押し，板ばね２を押圧すると同時に，係止部３，３を係合部１１，１１から外して，ばね部材８を差込口１０から引き抜くようにして使用されるものである。
【０００３】
【発明が解決しようとする課題】
上記従来の装身具用止め金具では，ばね部材８を間違えて裏返しにし，すなわち，板ばね２及び押圧つまみ４を図１０に示す位置と逆転させた状態で差込口１０から中空部品９内に差し込んでしまい，ばね部材８が中空部品９内に掛け止められたと思い込んでいたところ，ばね部材８が中空部品９から抜け出して，ネックレス６の脱落事故を起こすことがある。そのため，ばね部材８を中空部品９内へ差し込む際には，ばね部材８の向きに注意を払わなければならず，それだけ使いにくい思いをする。またばね部材８を中空部品９内へ正常に差し込んだ場合でも，押圧つまみ４の出っ張りにより装身具用止め金具の使用者が肌を傷つけたり，押圧つまみ４に髪の毛が引っ掛かったりすることもある。また押圧つまみ４の出っ張りは装飾上見栄えのしないやっかいな存在であるなどの問題点があった。
本発明は，上記従来の問題点を解消しうる装身具用止め金具を提供することを目的とするものである。
【０００４】
【課題を解決するための手段】
上記の目的を達成するために，本発明は，▲１▼  弾性を有する金属板を角度が付くように折り返してなる板ばねにおいて，一方の板ばねの端部には，係止部と押圧つまみを設け，他方の板ばねの端部には，押圧つまみを囲い込むように立ち上がり，その立ち上がり部の中央部分に連なる両側面部をアール状又はテーパー状に低下するように屈曲した屈曲縁を有するばね体側壁部を設け，このばね体側壁部には，装身具の一端を連結する連結部を設けてなるばね部材と，ベース板の裏面には，上記ばね部材を差し込める中空部を有するばね収納体を設け，このばね収納体の一方の側壁をアール状又はテーパー状又は直角に低下するように屈曲し，この屈曲した側壁には，上記ばね部材の差込口を設け，この差込口には，ばね部材をばね収納体内に差し込んだ時点で，ばね部材の係止部が板ばねの弾力を受けて係合する係合部を設け，ばね収納体の他方の側壁には，上記装身具の他端を連結する連結部を設けてなる止め金具本体とからなることを特徴とし，
▲２▼  上記▲１▼項記載の装身具用止め金具において，止め金具本体が，ベース板の裏面に一対のばね部材を相対するように差し込める中空部を有するばね収納体を設け，このばね収納体の両方の側壁をアール状又はテーパー状又は直角に低下するように屈曲し，この屈曲した各側壁には，一対のばね部材の差込口をそれぞれ設け，この各差込口には，各ばね部材の係止部が，各ばね部材をばね収納体内に差し込んだ時点で，板ばねの弾力を受けてそれぞれ係合する係合部を設けてなることを特徴とし，
▲３▼  上記▲１▼項記載の装身具用止め金具において，ばね部材の他方の板ばねの端部のうち，ばね体側壁部を設けた面と反対側の面には，ばね部材を止め金具本体のばね収納体内に差し込んだ時点で，止め金具本体のベース板と接合して一体の装飾体を形成するベース板を設けてなることを特徴とするものである。
【０００５】
【発明の実施の形態】
本発明の装身具用止め金具は，ばね部材と，止め金具本体とからなり，ばね部材は，例えば，プレス成形により成形し，止め金具本体は，例えば，鋳造により成形する。
ばね部材は，弾性を有する金属板を角度が付くように折り返してなる板ばねにおいて，一方の板ばねの端部には，係止部と押圧つまみを設け，他方の板ばねの端部には，押圧つまみを囲い込むように立ち上がり，その立ち上がり部の中央部分に連なる両側面部をアール状又はテーパー状に低下するように屈曲した屈曲縁を有するばね体側壁部を設け，このばね体側壁部には，装身具の一端を連結する連結部を設けることにより製作される。
【０００６】
止め金具本体は，ベース板の裏面に上記ばね部材を差し込める中空部を有するばね収納体を設け，このばね収納体の一方の側壁をアール状又はテーパー状又は直角に低下するように屈曲し，この屈曲した側壁には，上記ばね部材の差込口を設け，この差込口には，ばね部材の係止部が，ばね部材をばね収納体内に差し込んだ時点で，板ばねの弾力を受けて係合する係合部を設け，ばね部材の他方の側壁には，上記装身具の他端を連結する連結部を設けることにより製作される。なお，ベース板には，単なる平板を使用するだけでなく，表面に適当なデコレーションが付されたベース板を使用することもある。
【０００７】
上記止め金具本体は，次のように変更して製作されることもある。すなわち，ベース板の裏面に一対のばね部材を相対するように差し込める中空部を有するばね収納体を設け，このばね収納体の両方の側壁をアール状又はテーパー状又は直角に低下するように屈曲し，この屈曲した各側壁には，一対のばね部材の差込口を設け，この各差込口には，各ばね部材の係止部が，各ばね部材をばね収納体内に差し込んだ時点で，板ばねの弾力を受けてそれぞれ係合する係合部を設ける。
またばね部材は，継ぎののように変更して製作されることもある。すなわち，ばね部材の他方の板ばねの端部のうち，ばね体側壁部を設けた面と反対側の面には，ばね部材を止め金具本体のばね収納体内に差し込んだ時点で，止め金具本体のベース板と接合して一体の装飾体を形成するベース板をもうける。
【０００８】
以上の構成よりなる装身具用止め金具では，ばね部材をばね収納体内に差し込み，ばね部材の係止部をばね収納体の差込口に設けられた係合部に係合させた状態において，ばね部材を止め金具本体から外す場合には，一方の手で止め金具本体を持ち，他方の手の親指の指先をばね体側壁部の中央部分から両側面部に至るアール状又はテーパー状の屈曲縁に沿って滑り込ませながら押圧つまみを押圧し，ばね部材の係止部をばね収納体の係合部から外して，ばね部材をばね収納体から引き抜くか，あるいは，止め金具本体を片手で持ち，その片手の親指の指先をばね収納体のアール状又はテーパー状に屈曲した側壁（直角に屈曲した側壁の場合は，上記両手による操作で外す。）に沿って滑り込ませながら押圧つまみを押圧し，ばね部材の係止部をばね収納体の係合部から外して，ばね部材を上記親指の指先でばね収納体から押し出せばよい。
【０００９】
【実施例】
以下図１ないし図８にもとづいて本発明の実施例を説明すると，図１において，１５はばね部材で，弾性を有する金属板を角度が付くように折り返して板ばね１６を成形し，一方の板ばね１７の端部には，その両側部分からなる係止部１８，１８と，係止部１８，１８によって狭められた連結板１９の先端から段状に立ち上がり，かつ角型に成形した押圧つまみ２０を設け，他方の板ばね２１の端部には，押圧つまみ２０を角型に囲い込むように立ち上がり，その立ち上がり部の中央部分２１Ａに連なる両側面部２２，２２をアール状又はテーパー状に低下するように屈曲した屈曲縁２３，２３を有するばね体側壁部２４を設け，ばね体側壁部２４には，装身具の一端を連結する１個の丸環からなる連結部２５を設けてなる。
【００１０】
２６は止め金具本体で，長方形のベース板２７の裏面には，ばね部材１５を差し込める中空部を有する長方形のばね収納体２８を設け，このばね収納体２８の一方の側壁２９をアール状又はテーパー状又は直角に低下するように屈曲し，この屈曲した側壁２９には，ばね部材１５をその折り返し端３０から差し込む差込口３１を設け，この差込口３１には，ばね部材１５をばね収納体２８内に差し込んだ時点で，ばね部材１５の連結板１９が板ばね１７の弾力を受けて係合する係合口３１Ａと，係合口３１Ａの両側においてばね部材１５の係止部１８，１８が板ばね１７の弾力を受けて係合する係合部３２，３２とを設け，ばね収納体２８の側壁２９と反対側の角型側壁には，上記装身具の他端を連結する１個の丸環からなる連結部３３を設けてなる。
【００１１】
この実施例では，ばね部材１５を止め金具本体２６に掛け止める場合には，ばね部材１５をその折り返し端３０から差込口３１に差し込み，次いで，ばね収納体２８内へ差し込んでいくと，係合部３２，３２の端部によって板ばね１７が押圧され，ばね部材１５の係止部１８，１８が係合部３２，３２を通過したところで，係合部３２，３２の端部による板ばね１７の押圧が解除されるので，連結板１９が板ばね１７の弾力を受けて係合口３１Ａに係合すると同時に，係止部１８，１８も板ばね１７の弾力を受けて係合部３２，３２の内側面に係合し，ばね部材１５がばね収納体２８から抜けないように掛け止められる。
【００１２】
この状態において，ばね部材１５を止め金具本体２６から外す場合には，一方の手で止め金具本体２６を持ち，他方の手の親指の指先をばね部材１５のばね体側壁部２４の屈曲縁２３，２３に沿って滑り込ませながら押圧つまみ２０を押圧し，連結板１９を係合口３１Ａから外すと同時に，係止部１８，１８を係合部３２，３２から外して，ばね部材１５をばね収納体２８から引き抜くか，あるいは，止め金具本体２６を片手でもち，その片手の親指をばね収納体２８のアール状又はテーパー状に屈曲した側壁２９（直角に屈曲した側壁２９の場合は，上記両手による操作で外す。）に沿って滑り込ませながら押圧つまみ２０を押圧し，連結板１９を係合口３１Ａから外すと同時に，係止部１８，１８を係合部３２，３２から外して，ばね部材１５を上記親指の指先でばね収納体２８から押し出せばよい。なお，止め金具本体２６の高さＨ1 をばね部材１５のばね体側壁部２４の高さＨ2 と同一又はほぼ同一になるように設計してあるので，ばね収納体２８にばね部材１５を差し込んだ状態では，止め金具本体２６と，ばね部材１５の押圧つまみ２０及びばね体側壁部２４とが，長方形の箱体を２分割して接合されたような外観を呈する。
【００１３】
図２において，３４はばね部材で，弾性を有する金属板を角度が付くように折り返して板ばね３５を成形し，一方の板ばね３６の端部中央には，係止孔３７を設け，板ばね３６の端部には，その全体から段状に立ち上がり，かつ先端を円弧状に成形した押圧つまみ３８を設け，他方の板ばね３９の端部には，押圧つまみ３８を円弧状に囲い込むように立ち上がり，その立ち上がり部の中央部分４０に連なる両側面部４１，４１をアール状又はテーパー状に低下するように屈曲した屈曲縁４２，４２を有するばね体側壁部４３を設け，ばね体側壁部４３には，例えば，一連のネックレス４４の一端を連結する１個の丸環からなる連結部４５Ａを設けてなる。
【００１４】
４６は止め金具本体で，長方形の片側端部を円弧状に成形したベース板４７の裏面には，ばね部材３４を差し込める中空部を有し，かつベース板４７と同形のばね収納体４８を設け，このばね収納体４８の一方の側壁４９をアール状又はテーパー状又は直角に低下するように屈曲し，この屈曲した側壁４９には，ばね部材３４をその折り返し端５０から差し込む差込口５１を設け，この差込口５１には，ばね部材３４をばね収納体４８内に差し込んだ時点で，ばね部材３４の係止孔３７が板ばね３６の弾力を受けて係合するダボからなる係合部５２を設け，ばね収納体４８の円弧状側壁には，上記一連のネックレス４４の他端を連結する１個の丸環からなる連結部４５Ｂを設けてなる。
【００１５】
この実施例では，ばね部材３４をその折り返し端５０から差込口５１に差し込み，次いで，ばね収納体４８内へ差し込んでいくと，係合部５２の端部によって板ばね３６が押圧され，ばね部材３４の係止孔３７が係合部５２と対向したところで，係合部５２の端部による板ばね３６の押圧が解除されるので，係止孔３７が板ばね３６の弾力を受けて係合部５２に係合し，ばね部材３４がばね収納体４８から抜けないように掛け止められる。
【００１６】
この状態において，ばね部材３４を止め金具本体４６から外す場合には，【００１２】で説明した操作と同様の操作をすればよい。なお，止め金具本体４６の高さＨ1 をばね部材３４のばね体側壁部４３の高さＨ2 と同一又はほぼ同一になるように設計してあるので，ばね収納体４８にばね部材３４を差し込んだ状態では，止め金具本体４６と，ばね部材３４の押圧つまみ３８及びばね体側壁部４３とが，長円型の箱体を２分割して接合されたような外観を呈する。
【００１７】
板ばね３５に係止孔３７を設ける代わりにダボからなる係止部を設け，止め金具本体４６にダボからなる係合部５２を設ける代わりに係合孔を設けることもある。この場合は，ばね部材３４をばね収納体４８に差し込む際に，押圧つまみ３８を押圧して，板ばね３６を板ばね３９に近付けながら差し込んでいき，係止部が係合部と対向したところで，押圧つまみ３８の押圧を解除して，係止部を板ばね３６の弾力で係合部に係合させる。
【００１８】
図３において，５３はばね部材で，弾性を有する金属板を角度が付くように折り返して板ばね５４を成形し，一方の板ばね５５の端部には，その両側部からなる係止部５６，５６と，係止部５６，５６によって狭められた連結板５７の先端から段状に立ち上がり，かつ先端を円弧状に成形した押圧つまみ５８を設け，他方の板ばね５９の端部には，押圧つまみ５８を円弧状に囲い込むように立ち上がり，その立ち上がり部の中央部分５９Ａに連なる両側面部６０，６０をアール状又はテーパー状に低下するように屈曲した屈曲縁６１，６１を有するばね体側壁部６２を設け，このばね体側壁部６２には，例えば，三連のネックレス６２Ａの各一端を連結する３個の丸環からなる連結部６３を設け，この連結部６３には，連結リング６４をそれぞれ連結してある。
【００１９】
６５は止め金具本体で，周縁に波形６６を成形した細長のベース板６７の裏面には，ばね部材５３を差し込める中空部を有し，かつ長方形の片側端部を円弧状に成形したばね収納体６８と，ばね部材５３をスライドさせるスライド面６９とを設け，ベース板６７の表面には，適当なデコレーション（３図中省略）を付し，そのデコレーションの中心部には，真珠７０を固定してあり，ばね収納体６８のスライド面６９側の側壁７１をアール状又はテーパー状又は直角に低下するように屈曲し，この屈曲した側壁７１には，ばね部材５３をその折り返し端７２から差し込む差込口７３を設け，この差込口７３には，ばね部材５３をばね収納体６８に差し込んだ時点で，ばね部材５３の連結板５７が板ばね５５の弾力を受けて係合する係合口７４と，係合口７４の両側においてばね部材５３の係止部５６，５６が板ばね５５の弾力を受けて係合する係合部７５，７５とを設け，ばね収納体６８の側壁７１と反対側の円弧状側壁には，上記三連のネックレス６２Ａの各他端を連結する３個の丸環からなる連結部７６を設けてなり，この各連結部７６には，連結リング７７をそれぞれ連結してある。
【００２０】
この実施例では，図４に示すように各連結リング６４により三連のネックレス６２Ａの各一端を連結部６３にそれぞれ連結し，各連結リング７７により上記三連のネックレス７８の各他端を連結部７６にそれぞれ連結し，ばね部材５３をスライド面６９に板ばね５９を接触させながらスライドさせていき，図５に示すように折り返し端７２から差込口７３に差し込み，次いで，ばね収納体６８内へ差し込んでいくと，係合部７５，７５の端部によって板ばね５５が押圧され，ばね部材の係止部５６，５６が係合部７５，７５を通過したところで，係合部７５，７５の端部による板ばね５５の押圧が解除されるので，連結板５７が板ばね５５の弾力を受けて係合口７４に係合すると同時に，係止部５６，５６も板ばね５５の弾力を受けて係合部７５，７５の内側面に係合し，ばね部材５３がばね収納体６８から抜けないように掛け止められる。
【００２１】
この状態で，ばね部材５３を止め金具本体６５から外す場合には，【００１２】で説明した操作と同様の操作をすればよい。なお，ばね収納体６８の高さＨ1 をばね部材５３のばね体側壁部６２の高さＨ2 と同一又はほぼ同一になるように設計してあるので，止め金具本体６５にばね部材５３を掛け止めた状態では，ばね収納体６８と，ばね部材５３の押圧つまみ５８及びばね体側壁部６２とが，長円型の箱体を２分割して接合されたような外観を呈する。
【００２２】
図６において，７８はばね部材で，弾性を有する金属板を角度が付くように折り返して板ばね７９を成形し，一方の板ばね８０の端部には，その両側部からなる係止部８１，８１と，係止部８１，８１によって狭められた連結板８２の先端から段状に立ち上がり，かつ円形の一側部分を形成するように成形した押圧つまみ８３とを設け，他方の板ばね８４の端部には，押圧つまみ８３を円弧状に囲い込むように立ち上がり，その立ち上がり部の中央部分８５に連なる両側面部８６，８６をアール状又はテーパー状に低下するように屈曲した屈曲縁８７，８７を有するばね体側壁部８８を設け，このばね体側壁部８８には，装身具の一端を連結する連結部（図６中省略）を設けてなる。
【００２３】
８９は止め金具本体で，ばね体側壁８８の径より拡径した円形のベース板９０の裏面には，ばね部材７８を差し込める中空部を有し，かつ円形の他側部分を形成するように成形したばね収納体９１と，ばね部材７８をスライドさせるスライド面９２とを設け，ばね収納体９１のスライド面９２側の側壁９３をアール状又はテーパー状又は直角に低下するように屈曲し，この屈曲した側壁９３には，ばね部材７８をその折り返し端９４Ａから差し込む差込口９４を設け，この差込口９４には，ばね部材７８をばね収納体９１内に差し込んだ時点で，ばね部材７８の連結板８２が板ばね８０の弾力を受けて係合する係合口９５と，係合口９５の両側においてばね部材７８の係止部８１，８１が板ばね８０の弾力を受けて係合する係合部９６，９６を設け，ばね収納体９１の側壁９３と反対側の円弧状側壁には，上記装身具の他端を連結する連結部（図６中省略）を設けてなる。
【００２４】
この実施例では，押圧つまみ８３の押圧面が図７に示す押圧つまみ８３のそれよりも広いので，押圧しやすいという利点があり，ばね部材７８を止め金具本体８９に掛け止める操作と，ばね部材７８を止め金具本体８９から外す操作は，【００１１】と【００１２】で説明した各操作と同様の操作をすればよい。なお，ばね収納体９１の高さＨ1 をばね部材７８のばね体側壁部８８の高さＨ2 と同一か又はほぼ同一になるように設計してあるので，止め金具本体８９にばね部材７８を掛け止めた状態では，ばね収納体９１と，ばね部材７８の押圧つまみ８３及びばね体側壁部８８とが，円型の箱体を２分割して接合されたような外観を呈する。
【００２５】
図７において，９７はばね部材，９８は止め金具本体で，これらは，図６に示したばね部材７８，止め金具本体８９と同様の構成よりなる。但し，ばね部材９７の押圧つまみ８３をばね収納体９１の径より小径に成形し，ばね体側壁部８８の径をばね収納体９１の径と同じ径に成形し，ばね体側壁部８８の屈曲縁８７，８７から押圧つまみ８３の周縁に接近するように折曲したカバー壁９９を設けた点で相違するものである。
この実施例では，ばね部材９７を止め金具本体９８に掛け止める操作と，ばね部材９７を止め金具本体９８から外す操作は，【００１１】と【００１２】で説明した各操作と同様の操作をすればよい。なお，ばね収納体９１にばね部材を掛け止めた状態では，ばね収納体９１と，ばね部材９７の押圧つまみ８３，カバー壁９９及びばね体側壁部８８とが，円型の箱体を２分割して接合されたような外観を呈する。
【００２６】
図８において，１００，１０１は一対のばね部材で，これらには，例えば，図３に示したばね部材５３と同様の構成よりなるばね部材を使用する。１０２は止め金具本体で，長だ円形のベース板１０３の裏面には，その中央部分に一対のばね部材１００，１０１を相対向させて差し込める中空部を有するばね収納体１０４と，ばね収納体１０４の両側に一対のばね部材１００，１０１をそれぞれスライドさせるスライド面１０５，１０５とを設け，ばね収納体１０４のスライド面１０５，１０５側の側壁１０６，１０６をアール状又はテーパー状又は直角にそれぞれ低下するように屈曲し，この屈曲した各側壁１０６，１０６には，ばね部材１００，１０１の折り返し端７２，７２から差し込む差込口１０７，１０７を設け，この各差込口１０７，１０７には，各ばね部材１００，１０１をばね収納体１０３に差し込んだ時点で，各ばね部材１００，１０１の連結板５７，５７が板ばね５５，５５の弾力を受けて係合する係合口７４，７４と，係合口７４，７４の両側において各ばね部材１００，１０１の係止部５６，５６が板ばね５５，５５の弾力を受けて係合する係合部７５，７５をそれぞれ設けてなる。なお，本発明は，スライド面１０５，１０５を省いて構成することもある。
【００２７】
この実施例では，一方のばね部材１００に設けた各連結リング６４により三連のネックレス（図８中省略）の各一端を連結部６３にそれぞれ連結し，他方のばね部材１０１に設けた各連結リング６４により上記三連のネックレスの各他端を連結部６３にそれぞれ連結する。そして，各ばね部材１００，１０１を止め金具本体１０２に掛け止める操作と，各ばね部材１００，１０１を止め金具本体１０２から外す操作は，【００１１】と【００１２】で説明した各操作と同様の操作をすればよい。なお，ばね収納体１０４の高さＨ1 を各ばね部材１００，１０１のばね体側壁部８８の高さＨ2 と同一か又はほぼ同一になるように設計してあるので，止め金具本体１０２に各ばね部材１００，１０１を掛け止めた状態では，ばね収納体１０４と，各ばね部材１００，１０１の押圧つまみ８３，８３及びばね体側壁部８８，８８とが長円型の箱体を３分割して接合されたような外観を呈する。
【００２８】
以上の各実施例では，ばね部材の他方の板ばねの端部のうち，ばね体側壁部を設けた面と反対側の面には何も設けない例を示したが，この反対側の面には，止め金具本体のベース板に対応したベース板を設けることもある。その実施例を図９にもとづいて説明すると，同図において，７８はばね部材で，弾性を有する金属板を角度が付くように折り返して板ばね７９を成形し，一方の板ばね８０の端部には，その両側部分からなる係止部８１，８１と，係止部８１，８１によって狭められた連結板８２の先端から段状に立ち上がり，かつ円形の一側部分を形成するように成形した押圧つまみ８３とを設け，他方の板ばね８４は一方の板ばね８０よりも幅広に成形し，この板ばね８４の端部のうち，押圧つまみ８３と対向する面には，押圧つまみ８３を円弧状に囲い込むように立ち上がり，その立ち上がり部の中央部分８５に連なる両側面部８６，８６をアール状又はテーパー状に低下するように屈曲した屈曲縁８７，８７を有するばね体側壁部８８を設け，板ばね８４の端部のうち，ばね体側壁部８８を設けた面と反対側の面には，ばね体側壁部８８の径より拡径して成形したベース板８８Ａを設け，ばね体側壁部８８には，１個の丸環からなる連結部４５Ａを設けてなり，この連結部４５Ａには，ネックレス４４Ａの一端に取り付けられた連結リング４５Ｂを連結してある。
【００２９】
８９は止め金具本体で，円形の他側部分を形成するとともに，ベース板８８Ａの径と同径に成形したベース板９０の裏面には，ばね部材７８を差し込める中空部を有し，かつ円形の他側部分を形成するとともに，ばね体側壁部８８の径と同径に成形したばね収納体９１を設け，ばね収納体９１の円弧状側壁と反対側の側壁９３をアール状又はテーパー状又は直角に低下するように屈曲し，この屈曲した側壁９３には，ばね部材７８の板ばね８４の両側張り出し縁８４Ａを差し込む差込口９４Ｂ，９４Ｂと，ばね部材７８をその折り返し端９４Ａから差し込む差込口９４とを設け，この差込口９４には，ばね部材７８をばね収納部９１内に差し込んだ時点で，ばね部材７８の連結板８２が板ばね８０の弾力を受けて係合する係合口９５と，係合口９５の両側においてばね部材７８の係止部８１，８１が板ばね８０の弾力を受けて係合する係合部９６，９６とを設け，ばね収納体９１の側壁９３と反対側の円弧状側壁には，１個の丸環からなる連結部４５Ｃを設けてなり，この連結部４５Ｃには，ネックレス４４Ａの他端に取り付けられた連結リング４５Ｄを連結してある。なお，差込口９４Ｂ，９４Ｂは，ばね部材７８をばね収納体９１内へ差し込んだ状態において，板ばね８４の上下方向のガタツキを防ぐ働きをする。
【００３０】
この実施例では，ベース板８８Ａとベース板９０の表面にデコレーション８８Ｂ，９０Ｂを付し，又はデコレーションは付さず平面状として，ばね部材７８をばね収納体９１に差し込んだ時点で，ベース板８８Ａとベース板９０が一体の装飾体を形成するように接合する。ばね部材７８を止め金具本体８９に掛け止める操作と，ばね部材７８を止め金具本体８９から外す操作は，【００１１】と【００１２】で説明した各操作と同様の操作をすればよい。なお，ばね収納体９１の高さＨ1 をばね部材７８のばね体側壁部８８の高さＨ2 と同一又はほぼ同一に設計してあるので，止め金具本体８９にばね部材７８を掛け止めた状態では，ばね収納体９１とばね部材７８の押圧つまみ８３及びばね体側壁部８８とが円型の箱体を２分割して接合されたような外観を呈する。
【００３１】
本発明は，上記各実施例に限定されるものではなく，ばね部材に設ける係止部，押圧つまみ，ばね体側壁部と，止め金具本体に設けるばね収納体，差込口とに，上記各実施例に示した構成以外の構成を採用しうる。また止め金具本体に設けられるばね収納体の側壁部と，ばね部材に設けられるばね体側壁部には，適当な飾り穴を設けることもあり，それらの飾り穴を利用してネックレスの連結環を通し，ネックレスを直接に接続することもあり，ばね収納体の側壁部以外にも飾り穴を設けることもある。またばね収納体の中空部内側に突起部を設け，はね部材掛け止め後の上下方向のガタツキを押さえることもある。またばね部材と止め金具本体には，時計バンドなどの装身具を使用する場合には，装身具の一端と他端を直接連結できる連結部を設け，その他の装身具を使用する場合には，１個又は複数個の連結部を設け，その連結部には，丸環のほか，装身具に応じて適当な形状，構造のものを採用しうる。また止め金具本体のベース板の裏面に設けられるばね収納体と，このばね収納体に差し込まれるばね部材の押圧つまみ及びばね体側壁部とで，上記各実施例に示した形状以外の各種形状を形成するように構成することもある。なお，ばね部材又は止め金具本体のどちらか一方にワイヤセフティの基端部を連結し，ばね部材又は止め金具本体のどちらか他方にワイヤセフティを掛け止めるダボを取り付けることもある。
【００３２】
【発明の効果】
本発明は，叙上のように構成したから，ばね部材を裏返しにしてばね収納体内へ差し込むようなことがなくなるので，ばね部材を止め金具本体に掛け止める際に，ばね部材の向きに注意を払う必要がなく，常に正常な掛け止めをすることができ，それだけ使いやすくなり，装身具の落下事故も防止できる。またばね部材の押圧つまみがばね体側壁部によって囲い込まれるており，前記従来の装身具用止め金具のように押圧つまみが出っ張ることがないので，装身具用止め金具の使用者が肌を傷つけたり，押圧つまみに髪の毛が引っ掛かったりするようなことがなく，装飾上の見栄えも良くなる。またベース板に平板を使用したものでは，平板の表面を肌に触れるように使用でき，逆に平板の裏面に設けられたばね収納体の表面を肌に触れるように使用できるというように装身具用止め金具の表裏両面のどちらでも使用できる利点がある。
【図面の簡単な説明】
【図１】  本発明の一実施例において，止め金具本体からばね部材を外した状態の斜視図である。
【図２】  本発明の別の実施例において，止め金具本体からばね部材を外した状態の斜視図である。
【図３】  本発明の更に別の実施例において，止め金具本体からばね部材を外した状態の斜視図である。
【図４】  同実施例において，装身具に三連のネックレスを使用し，ばね部材を止め金具本体に掛け止めた状態の斜視図である。
【図５】  同実施例において，デコレーションを省略した止め金具本体にばね部材を掛け止めた状態の拡大断面図である。
【図６】  本発明の更に別の実施例において，止め金具本体からばね部材を外した状態の斜視図である。
【図７】  本発明の更に別の実施例において，止め金具本体からばね部材を外した状態の斜視図である。
【図８】  本発明の更に別の実施例において，止め金具本体からばね部材を外した状態の斜視図である。
【図９】  本発明の更に別の実施例において，止め金具本体からばね部材を外した状態の斜視図である。
【図１０】  従来の装身具用止め金具において，止め金具本体からばね部材を外した状態の斜視図である。
【図１１】  同装身具用止め金具において，止め金具本体にばね部材を掛け止めた状態の断面図である。
【符号の説明】
１５  ばね部材
１８  係止部
２０  押圧つまみ
２３  屈曲縁
２４  ばね体側壁部
２５  連結部
２６  止め金具本体
２７  ベース板
２８  ばね収納体
２９  屈曲側壁
３１  差込口
３２  係合部
３３  連結部
３４  ばね部材
３７  係止孔
３８  押圧つまみ
４２  屈曲縁
４３  ばね体側壁部
４５Ａ，４５Ｂ  連結部
４７  ベース板
４８  ばね収納体
４９  屈曲側壁
５１  差込口
５２  係合部
５３  ばね部材
５６  係止部
５８  押圧つまみ
６１  屈曲縁
６２  ばね体側壁部
６３  連結部
６５  止め金具本体
６７  ベース板
６８  ばね収納体
７１  屈曲側壁
７３  差込口
７５  係合部
７６  連結部
７８  ばね部材
８１  係止部
８３  押圧つまみ
８７  屈曲縁
８８  ばね体側壁部
８８Ａ  ベース板
８９  止め金具本体
９０  ベース板
９１  ばね収納体
９３  屈曲側壁
９４  差込口
９６  係合部
９７  ばね部材
９８  止め金具本体
１００，１０１  一対のばね部材
１０２  止め金具本体
１０３  ベース板
１０４  ばね収納体
１０６  屈曲側壁
１０７  差込口
【図１】
0003764786.tif 000002
【図２】
0003764786.tif 000003
【図３】
0003764786.tif 000004
【図４】
0003764786.tif 000005
【図５】
0003764786.tif 000006
【図６】
0003764786.tif 000007
【図７】
0003764786.tif 000008
【図８】
0003764786.tif 000009
【図９】
0003764786.tif 000010
【図１０】
0003764786.tif 000011
【図１１】
0003764786.tif 000012